(57)【特許請求の範囲】
【請求項１】
それぞれ異なる種類の釘を供給可能な複数の釘供給機構を備え、
前記複数の釘供給機構から所望の釘を選択して、釘ホルダ機構で遊技盤上の釘の打ち込み位置まで移動して、ハンマ機構で釘の打ち込みをおこない、
同じ遊戯盤上に複数種の釘を、打ち込み可能とされている、遊技機製造用釘打ち機であって、
前記釘供給機構は、第１種釘を供給する第１釘供給機構と、第１釘供給機構よりも後段に配置され第１種釘よりも高強度の第２種釘を供給する第２釘供給機構とを含み、
前記釘ホルダ機構は第１釘ホルダと第２釘ホルダとを含み、
前記第１釘ホルダには、まず第１釘供給機構によって第１種釘を供給し、
打ち込むべき釘が前記第１種釘である場合は、そのまま前記第１釘ホルダに供給された前記第１種釘を釘打ち部まで回転せしめ、前記第２釘ホルダが前記第１釘ホルダから前記第１種釘を受け取って前記打ち込み位置に移動して前記ハンマ機構で打ち込み、
打ち込むべき釘が前記第２種釘である場合には、前記第１釘供給機構から前記第１釘ホルダに供給された前記第１種釘を排除し、前記第１種釘が排除された前記第１釘ホルダに前記第２釘供給機構によって前記第２種釘を供給してから、前記第１釘ホルダを前記釘打ち部に回転移動せしめ、前記第２釘ホルダが前記第１釘ホルダから前記第２種釘を受け取って前記打ち込み位置に移動して前記ハンマ機構で打ち込む、
ことを特徴とする遊技機製造用釘打ち機。
【請求項２】
前記第１種釘を排除する位置と、前記第２種釘を供給する場所が同じである、ことを特徴とする請求項１に記載の遊技機製造用釘打ち機。
【請求項３】
前記第１種釘を排除する位置と、前記第２種釘を供給する場所が異なる、ことを特徴とする請求項１に記載の遊技機製造用釘打ち機。
【請求項４】
打ち込むべき釘が前記第２種釘である場合に、前記第１釘ホルダから排除された前記第１種釘を、回収して前記第１釘供給機構のパーツフィーダーに送る回収手段を含む、ことを特徴とする請求項１に記載の遊技機製造用釘打ち機。
【請求項５】
制御装置を備え、前記制御装置に予め記憶されたデータにもとづき、所望の釘が、所望の場所に打ち込まれる、ことを特徴とする請求項１から４のいずれか１項に記載の遊技機製造用釘打ち機。
【発明の詳細な説明】
【技術分野】
【０００１】
本発明は、遊技機製造用釘打ち機、特にはパチンコ台製造用釘打ち機に関する。
【背景技術】
【０００２】
遊技盤、特にパチンコ用の遊技盤には、多数の釘が打ち込まれる。このように多数の釘を打ちこむためのものとして特許文献１に記載の装置がある。この特許文献１の装置は遊技盤を位置決め搭載したテーブルと、このテーブルの上方に配置された釘ホルダ機構、ハンマ機構及び釘供給機構の組みとから構成され、釘打ちデータによる釘を打ち込む位置と順序とに従って遊技盤を平面内に縦横に移動して、遊技盤の所定位置を釘ホルダ機構の下方に位置決め停止し、釘供給部から釘ホルダ機構に供給された釘を、ハンマ機構で遊技盤に打ち込むものである。
【０００３】
ところで、この釘は通常、真鍮製であって、強度が高いものではない。そのため、球が良く当たる釘が折れてしまうことがある。そして、釘が折れると遊技場（パチンコ店）では釘の交換はできないという法規制があるため、遊技場は遊技機メーカーから許可済の新しい遊技盤を送ってもらうまで、その遊技機は停止され、遊技場は大きな損失を蒙ることになる。
そこで、高強度の釘を使用することが考えられるが、高強度の釘のコストは、通常の真鍮の釘のコストの約３倍であり、すべての釘を高強度の釘にすることは大幅なコストの増大を招いてしまい、受け入れられない。
その結果、頻繁に鋼球が当たる特定の釘のみ高強度の釘とし、その他の釘は通常の釘とすることが望まれている。しかし、前記特許文献１に記載の装置は、そのように異なる種類の釘を打ち込むことはできない。
【先行技術文献】
【特許文献】
【０００４】
【特許文献１】特開平１０−１０８９４７号公報
【発明の概要】
【発明が解決しようとする課題】
【０００５】
本発明の目的は上記問題に鑑み、異なる種類の釘を打ち込むことのできる遊技機用釘打ち装置を提供することにある。
【課題を解決するための手段】
【０００６】
請求項１の発明によれば、
それぞれ異なる種類の釘を供給可能な複数の釘供給機構を備え、
前記複数の釘供給機構から所望の釘を選択して、釘ホルダ機構で遊技盤上の釘の打ち込み位置まで移動して、ハンマ機構で釘の打ち込みをおこない、
同じ遊戯盤上に複数種の釘を、打ち込み可能とされている、遊技機製造用釘打ち機であって、
前記釘供給機構は、第１種釘を供給する第１釘供給機構と、第１釘供給機構よりも後段に配置され第１種釘よりも高強度の第２種釘を供給する第２釘供給機構とを含み、
前記釘ホルダ機構は第１釘ホルダと第２釘ホルダとを含み、
前記第１釘ホルダには、まず第１釘供給機構によって第１種釘を供給し、
打ち込むべき釘が前記第１種釘である場合は、そのまま前記第１釘ホルダに供給された前記第１種釘を釘打ち部まで回転せしめ、前記第２釘ホルダが前記第１釘ホルダから前記第１種釘を受け取って前記打ち込み位置に移動して前記ハンマ機構で打ち込み、
打ち込むべき釘が前記第２種釘である場合には、前記第１釘供給機構から前記第１釘ホルダに供給された前記第１種釘を排除し、前記第１種釘が排除された前記第１釘ホルダに前記第２釘供給機構によって前記第２種釘を供給してから、前記第１釘ホルダを前記釘打ち部に回転移動せしめ、前記第２釘ホルダが前記第１釘ホルダから前記第２種釘を受け取って前記打ち込み位置に移動して前記ハンマ機構で打ち込む、
ことを特徴とする遊技機製造用釘打ち機が提供される。
【０００８】
請求項２の発明によれば、前記第１種釘を排除する位置と、前記第２種釘を供給する場所が同じとされ、請求項３の発明によれば、前記第１種釘を排除する位置と、前記第２種釘を供給する場所が異なるようにされる。
【０００９】
請求項４の発明によれば、打ち込むべき釘が前記第２種釘である場合に、前記第１釘ホルダから排除された前記第１種釘を、回収して前記第１釘供給機構のパーツフィーダーに送る回収手段を含む。
【００１０】
請求項５の発明によれば、制御装置を備え、前記制御装置に予め記憶されたデータにもとづき、所望の釘が、所望の場所に打ち込まれるようにされている。
【図面の簡単な説明】
【００１１】
【図１】本発明の全体の構成を概略的に示す上面図である。
【図２】通常釘を排除し、異種釘を装填する部分の側面図である。
【図３】第２釘供給機構の詳細を示す図である。
【図４】釘回収機構２７０の詳細を示す図であり、（Ａ）は上面図、（Ｂ）は側面図、（Ｃ）は、（Ａ）のＣ−矢視である。
【発明を実施するための形態】
【００１２】
最初に図１を参照して、本発明による遊技機、特にパチンコ製造用釘打ち装置の全体的な構造を説明する。図１は回転する第１釘ホルダが４分割時の例であるが、第１釘（通常釘）供給位置と釘打ち位置との間に複数の停止位置があっても同様である。
回転台１には複数の第１釘ホルダが等間隔で取り付けられている。各第１釘ホルダ１０は制御機構５００の命令に従って、第１釘供給位置、第２釘供給位置、釘打ち込み位置、残釘排出位置の各位置でいったん停止しながら右回り（時計回り）に間歇回転する。
この装置では、第１種釘として通常釘（真鍮製）を使用し、制御装置より指定された場所には第２種釘として強化された釘を使用する。
【００１３】
第１釘ホルダ１０の詳細は省略する。以下第１釘ホルダ１０の各位置における作動を説明していく。まず第１釘供給位置Ａについて説明する。第１釘ホルダ１０は釘を保持していない状態で第１釘供給位置に到着すると、図示しない第１釘ホルダチャック開閉機構により、第１釘ホルダチャックは釘が入る分開く。そこに第１釘供給機構１１０により、第１種釘（通常釘）が１ヶ送り込まれる。その後、回転台が回転することにより、第１釘ホルダチャックは閉じ、通常釘を把持した第１釘ホルダ１０は第２釘供給位置に移動する。
【００１４】
第２釘供給位置Ｂでは、制御機構５００の命令により、後続の釘打ち込み位置で通常釘の打ち込みが必要な場合には、そのまま第１釘供給位置で実行した通常釘の把持を維持したまま釘打ち込み位置に回転移動する。制御機構５００の命令により、後続の釘打ち込み位置で強化された異種釘の打ち込みが必要な場合には、第１釘供給位置で供給された通常釘を排出してから、第２釘供給機構２００から供給される第２種釘としての異種釘（強化釘）を把持し、釘打ち込み位置に回転移動するという作業を行う。
以下、通常釘から異種釘への持ち替えについて説明する。
第２釘供給位置には、第１釘ホルダチャック解放機構２１０が取りついており、制御機構５００から第１釘ホルダのチャック解放命令が来ると、第１釘ホルダチャック解放機構２１０は下降して第１釘ホルダチャックは開き、不要とされた通常釘は下方に落下する。落下した通常釘は落下釘回収機構２７０（図４参照）により第１釘供給機構のパーツフィーダーに回収される。
以上で、第１釘供給位置で供給された通常釘の排除が終了する。なお、第１釘ホルダチャック解放機構２１０は下降して、異種釘が第１釘ホルダに供給されるまで保持される。
【００１５】
以下、通常釘が排除された第１釘ホルダ１０に異種釘を供給する手順について説明する。 
異種釘は第２釘供給機構２００のパーツフィーダー２２０から途中に設けられた中間仕切り部２２５で異種釘は１本づつ仕切られ、エア圧送あるいは吸引による異種釘遠隔搬送装置２２６により異種釘送り装置２３０に送られる。異種釘送り装置２３０には、これに直交する仕切り作動装置２４０が配置されている。
仕切り作動装置２４０は異種釘送り装置２３０を挟んで第１仕切り爪２４１と第２仕切り爪２４２と第３仕切り爪２４３が配置され、これら第１仕切り爪２４１と第２仕切り爪２４２と第３仕切り爪２４３を左右に移動させて、異種釘を１本づつ分離し、分離した異種釘１本をレールの傾斜面を利用して異種釘送り装置２３０の図中下方最先端の位置に独立配置せしめる。
【００１６】
次いで、図１において、待機状態にある異種釘供給ユニット２５０の先端の自動チャック部２５１を開いて前進せしめ、自動チャックを閉じて異種釘を把持する。ここで、自動チャック部２５１は空気圧を利用して自動開閉する。自動チャック部２５１が閉じ異種釘を把持したら、仕切り作動装置２４０は右方に移動し、それにともない第３仕切り爪２４３も右方に移動して異種釘は移動できる状態となり、自動チャック部２５１を所定の位置まで後退せしめる。その後仕切り作動装置２４０は左方に移動し、異種釘は１本だけ仕切られる。
【００１７】
ついで自動チャック部２５１で異種釘を把持した異種釘供給ユニット２５０は、支点２５２を中心として、９０度だけ左回転（反時計回り）し、いまだ停止している第１釘ホルダ１０に対向せしめる。次いで、自動チャック部２５１を図中左方に第１釘ホルダ１０の方に前進し、異種釘を開いた状態で待機している第１釘ホルダ１０のチャックに進入させる。その後、第１釘ホルダチャック解放機構２１０を上昇せしめて、第１釘ホルダ１０のチャックを閉じ、第１釘ホルダ１０で異種釘を把持し、次いで異種釘供給ユニット２５０の自動チャック部２５１を開いてから後退せしめ異種釘の供給を完了する。この場合は９０度回転して異種釘を供給しているが、水平移動で供給する場合も同様である。ついで、図中上下に大きく離間して発光部２６１と受光部２６２を有する第２釘供給部釘有り無しセンサ２６０により、釘が供給されたことの確認が行われる。
【００１８】
第２釘供給位置で不要となり、落下した通常釘を釘回収機構２７０（図４参照）により第１釘供給機構のパーツフィーダーに回収する方法を説明する。
落下した通常釘は釘回収部２７１で回収され、２７２の圧送、吸引等の遠隔搬送手段で第１釘供給機構のパーツフィーダーに送られ再利用される。
【００１９】
第２釘供給位置で上記の一連の作業が終了すると、回転台１が右まわり（時計回り）に回転して釘打ち部Ｃで停止する。釘打ち部に移動してきた第１釘ホルダ１０に把持された釘（通常釘または強化釘）は、第２釘ホルダ３２０に受け取られ、前進下降して釘打ち込み位置に移動されて、ハンマ機構３００のハンマ３１０で打ち込まれる。
【００２０】
ハンマ３１０で釘（通常釘または強化釘）の打ち込みが終了した後、回転台が右まわり（時計回り）して、打ち込まれた釘を把持していた第１釘ホルダ１０は、図１でＤで示される残釘排出位置において、残存釘検査手段４００で残存釘の有無が検査されてから、第１釘供給位置Ａに戻る。残存釘があった場合には残存釘排除手段４３０で残存釘を排除する。
【００２１】
なお、この実施形態では、第１種釘（通常釘）を排除して回収する位置と第２種釘（強化釘）を供給する位置が同じにされているが、これらの位置をずらすことも可能である。
また、この実施形態では、異種釘が１種類である場合を説明したが、異種釘を複数にすることも可能である。
【００２２】
１０    第１釘ホルダ
１１０    第１釘供給機構
２１０    第２位置ロッド降下板
２２０    第２釘供給機構のパーツフィーダー
２３０    異種釘送り装置
２４０    仕切り板作動装置
２５０    異種釘供給ユニット
２７０    釘回収機構
３００    ハンマ機構
３１０    ハンマ
３２０    第２釘ホルダ
４００    残存釘検査手段
５００    制御機構
【図１】
0006700905.tif 000002
【図２】
0006700905.tif 000003
【図３】
0006700905.tif 000004
【図４】
0006700905.tif 000005